(57)【特許請求の範囲】
【請求項１】
素材と、素材の一つである基軸データと、基軸データの進行に対応させて素材の提示方法を記述したシナリオからなるマルチメディアタイトルに対し、
通信手段を介して転送されるシナリオを受付け、シナリオに記述された素材の名称と格納場所から前記シナリオを使用するマルチメディアタイトルを転送する処理手順を作成する受付手段と、
前記受付手段により作成された処理手順を格納する処理手順キューと、
前記受付手段により作成された処理手順に従いマルチメディアタイトルの転送処理を行うタイトル転送処理手段と、
前記タイトル転送処理手段の指示に従い前記マルチメディアタイトルを構成する素材を取得する素材取得手段と、
受付手段が受け付けた前記シナリオと前記素材取得手段が取得した素材を格納する一時格納手段と、
前記シナリオを解析し、前記マルチメディアタイトルを構成する素材の名称と格納場所を取得し前記受付手段に出力するシナリオ解析手段と、
前記タイトル転送処理手段からのマルチメディアタイトルの登録、および素材の登録を受け付け、登録されたマルチメディアタイトルを管理し、管理しているマルチメディアタイトルの一覧を再生端末に提供し、要求されたマルチメディアタイトルを再生端末に提供するタイトル管理手段と、
前記タイトル管理手段が登録を受け付けた再生端末に提供するマルチメディアタイトルおよび素材を前記一時格納手段から蓄積するタイトル格納手段とを備え、
前記受付手段が、基軸データの取得とマルチメディアタイトルの登録処理を他の素材取得処理に優先して行う処理手順を作成することを特徴とするマルチメディアタイトル管理装置。
【請求項２】
受付手段が作成する処理手順に優先度を設け、受付手段が基軸データの取得処理とマルチメディアタイトルの登録処理に他の素材取得処理より高い優先度を設定した処理手順を作成し、タイトル転送処理手段が前記優先度に従い転送処理を行うことを特徴とする請求項１記載のマルチメディアタイトル管理装置。
【請求項３】
受付手段が、利用者が指定した緊急度が記述されたシナリオを受付け、前記シナリオに記述された緊急度に応じて、前記シナリオを使用するマルチメディアタイトルの転送処理の優先度を高く設定する機能を備えたことを特徴とする請求項２記載のマ
ルチメディアタイトル管理装置。
【請求項４】
受付手段がシナリオを受付けた時、タイトル管理手段がタイトル一覧に、前記シナリオを使用するマルチメディアタイトルを受付けて未登録である旨の記述を追加し、前記マルチメディアタイトルが登録された時に、前記タイトル管理手段が前記タイトル一覧の前記マルチメディアタイトルの記述を、登録済みである旨の記述に修正する機能を有する、請求項１ないし３のいずれかに記載のマルチメディアタイトル管理装置。
【請求項５】
マルチメディアタイトルの進行の基準となる素材である基軸データが再生可能か否かを評価する、基軸データ評価手段を備えたことを特徴とする請求項１ないし４のいずれかに記載のマルチメディアタイトル管理装置。
【発明の詳細な説明】
【０００１】
【発明の属する技術分野】
複数の異種データからなるマルチメディアタイトルを管理する装置に関し、特にマルチメディアタイトルを構成する素材データの重要度を判断し、マルチメディアタイトルを評価する機能を有するマルチメディアタイトル管理装置に関する。
【０００２】
【従来の技術】
近年、コンピュータ上で、動画、静止画、文字などの異種データ（素材）を組み合わせて利用するマルチメディアタイトルが、その表現力の高さから、多く利用されている。
【０００３】
図２に、マルチメディアタイトルの再生画面の一例を示す。図２において、再生画面１００１は、動画データ１００２、静止画データ１００３、文字データ１００４、操作ボタン１００５から構成されている。再生画面１００１には、動画データ１００２の進行に合わせ、静止画データ１００３などのデータが提示される。
【０００４】
マルチメディアタイトルの進行と素材の提示開始・終了との関係を、図３に示す。このようなマルチメディアタイトルにおいて、タイトルの進行の基準となる素材（動画データ）を基軸データと呼び、各素材の提示方法や提示時刻などを記述したスクリプトをシナリオと呼ぶこととする。
【０００５】
また、マルチメディアタイトルをファイルとして扱う場合のデータ構造を図４に示す。図４に示すとおり、マルチメディアタイトルの管理は、（Ａ）全ての素材とシナリオの集まりを１つのファイルとして扱う方式と、（Ｂ）素材やシナリオを個々のファイルとして扱う方式が考えられるが、従来は、取り扱いの容易さなどから、（Ａ）の方式が一般的に用いられていた。
【０００６】
一方近年、世界規模でコンピュータが接続されているインターネットの普及に代表されるように、遠隔地のコンピュータ同士が、多様な種類の通信回線を介して、データ交換を容易に行うことができるようになっている。このようなネットワークにおいては一般に、データ交換を行う２つのコンピュータ間のデータ通信速度は不定で、時々刻々変動する場合が多い。
【０００７】
そして、このようなネットワークを通じて、手紙の機能をもつ電子メールや、掲示板の機能を持つ電子ニュースなどのサービスが多く利用されてきた。従来は、電子メールや電子ニュースに、文字データが主として利用されてきたが、近年、より表現力の高い、マルチメディアタイトルを、このようなサービスに利用する要求が高まっている。
【０００８】
この要求に応えるためには、多様な通信速度を持つ通信回線を介して、マルチメディアタイトルを転送する必要がある。
【０００９】
【発明が解決しようとする課題】
しかしながら、マルチメディアタイトルは文字データに比べてデータ量が多いため、転送に多くの時間を要する。
【００１０】
例えば、原稿用紙１０枚分（４０００文字）の文字データは約８キロバイトであるのに対し、家庭用ビデオの画質の動画データ３０秒（ＭＰＥＧ１圧縮データ）は６４０倍の約５メガバイトであり、スナップ写真程度の画質の静止画データ１枚（１０００×８００ドット、１６７７万色、ＪＰＥＧによる１／５圧縮データ）は４０倍の約４００キロバイトになることから、転送に要する時間も、データの大きさに比例して多くかかる。
【００１１】
ここで、転送するマルチメディアタイトルを、図３に示す通り、１つの動画データを基軸データとしたものとする。図３に示すとおり、このタイトルの進行は基軸データである動画データを基準に進められるので、動画データがあれば、マルチメディアタイトルを最初から最後まで再生することができる。
【００１２】
この時仮に、提示すべき静止画データが不足している場合でも、その静止画データが表示されないだけで、タイトルは基軸データの進行に従って、再生を継続することができる。このように、少なくとも基軸データとシナリオが揃っている状態を、仮再生可能な状態と呼び、基軸データとシナリオが揃ったタイトルを、仮再生可能なタイトルと呼ぶ。
【００１３】
逆に基軸データとシナリオのいずれかが不足していれば、そのタイトルはまったく再生できない。以降、タイトルを再生するのに必要不可欠なデータである、基軸データとシナリオを、優先度が高いデータと呼ぶ。
【００１４】
ニュースなどの速報性を要する情報を有するタイトルの場合、一般に、タイトルに含まれる完全な情報を再生する事よりも、仮再生可能な状態でなるべく早期に再生する事に対する要求が高い。
【００１５】
しかしながら、従来はタイトルに含まれるシナリオと全ての素材を、均等に扱っていた。そのため、ニュースなどの速報性を要する情報のタイトルを転送する場合、従来の方法による転送では、特に次のような課題がある。
【００１６】
第１に、従来の方法は、素材毎の優先度の高さに違いを設けていないため、全ての素材が揃う前に、タイトルが仮再生可能であるという判断ができない。そのため、タイトルを受信する側は、全ての素材の転送が完了するまでタイトルの再生ができず、速報性が損なわれるという課題がある。
【００１７】
第２に、従来の方法では、例えば転送すべきマルチメディアタイトルが２つある場合、一方のタイトルは、もう一方のタイトルの素材全ての転送が完了してからでないと転送されない。そのため、転送するマルチメディアタイトルの数が多いと、すべてのタイトルの概要を確認できるまでの時間が、タイトルの数に比例して多くなるという課題がある。
【００１８】
第３に、例えばある１つのマルチメディアタイトルを転送中、特に緊急を要する新たなタイトルを転送しようとしたとき、従来の方法では、前者のタイトルの転送を強制的に中断させて後者のタイトルの転送を行うか、前者のタイトルの転送がすべて完了した後に後者のタイトルを転送する必要がある。この場合、前者のタイトルの転送を中断する場合は、前者のタイトルを再生するためには、新たにタイトルの転送を行わなければならず、通信回線の利用効率が悪くなり、前者のタイトルの転送が完了してから後者のタイトルを転送する場合は、緊急を要する後者のタイトルを再生できるまでに多くの時間を要し、タイトルの持つ価値を低減させるという課題がある。
【００１９】
第４に、例えばニュースのように、詳細な内容よりもどのような項目（タイトル名）があるかということが大きな意味をもつタイトルの場合、従来はタイトル全体の転送が完了するまでそのタイトル名を参照できなかったため、特にその項目を早く伝えることに価値がある場合、タイトルの価値を低減させるという課題がある。
【００２０】
第５に、従来方法では、素材が正しく再生できるか否かは、再生端末がその素材を実際に再生するまでわからなかった。そのため例えば、基軸データの動画素材が転送中に一部破損しても、従来の装置ではそれを再生端末に提供してしまい、再生端末がタイトル再生できなくなるため、再生端末の動作の安定性を損なうという課題がある。
【００２１】
本発明は上記の課題に鑑み、第１に、マルチメディアタイトルを再生するために不可欠な素材やシナリオを優先して転送し、仮再生可能な状態を早期に作成し、すべての素材の転送が完了する前にマルチメディアタイトルの再生を可能にし、転送するマルチメディアタイトルの速報性を向上させることを目的とする。
【００２２】
第２に、複数のマルチメディアタイトルを転送する場合において、一つのマルチメディアタイトルの素材すべてを転送する前に、他のタイトルの再生に必要な素材を優先して転送して、すべてのマルチメディアタイトルをできる限り早い段階で再生可能にし、速報性をさらに向上させることを目的とする。
【００２３】
第３に、マルチメディアタイトルの転送中でも、緊急性の高い新たなマルチメディアタイトルが転送されようとした時に、後者のタイトルを優先的に転送し、緊急性の高いマルチメディアタイトルをできるだけ早く再生可能にすることを目的とする。
【００２４】
第４に、転送中、あるいは転送される前のマルチメディアタイトルについても、そのタイトル名などを、再生端末が参照できるようにし、転送されるタイトルのタイトル名などの項目について、特に速報性を向上させることを目的とする。
【００２５】
第５に、基軸データの内容を、再生端末に提供する前に確認することにより、再生端末の動作の安定性を向上させることを目的とする。
【００２６】
【課題を解決するための手段】
上記の目的を達成するために、第１の発明の装置は、素材と、素材の一つである基軸データと、基軸データの進行に対応させて素材の提示方法を記述した  シナリオからなるマルチメディアタイトルに対し、通信手段を介して転送されるシナリオを受付け、前記シナリオを使用するマルチメディアタイトルに必要な素材を取得し、マルチメディアタイトルを登録する受付処理部と、前記受付処理部からのマルチメディアタイトルの登録を受付、登録されたマルチメディアタイトルを格納するとともに、登録されたマルチメディアタイトルの一覧を再生端末に提供し、再生端末から要求されたマルチメディアタイトルを再生端末に提供するタイトル管理部を備え、前記受付処理部が、基軸データを他の素材に優先して取得し、基軸データを取得した時点で基軸データとシナリオとからなるマルチメディアタイトルの登録を行うものである。
【００２７】
第２の発明の装置は、第１の発明の装置において、受け付け手段が、複数のタイトルを転送するときに、それぞれの基軸データを優先して取得し、タイトルを早く登録する処理手順を作成する機能を有するものである。
【００２８】
第３の発明の装置は、第１の発明の装置において、シナリオ解析手段がタイトルの緊急度を取得し、受け付け手段がその緊急度に応じて、優先的にタイトルの転送・登録処理を行う処理手順を作成する機能を有するものである。
【００２９】
第４の発明の装置は、第１の発明の装置において、タイトル管理手段が再生端末に提供するタイトル一覧に、未登録のタイトルも記述する機能を有するものである。
【００３０】
第５の発明の装置は、第１の発明の装置に加えて、基軸データが再生可能か否かを評価する基軸データ評価手段を備えたものである。
【００３１】
【発明の実施の形態】
本発明の請求項１に記載の発明は、素材と、素材の一つである基軸データと、基軸データの進行に対応させて素材の提示方法を記述した  シナリオからなるマルチメディアタイトルに対し、通信手段を介して転送されるシナリオを受付け、前記シナリオを使用するマルチメディアタイトルに必要な素材を取得し、マルチメディアタイトルを登録する受付処理部と、前記受付処理部からのマルチメディアタイトルの登録を受付、登録されたマルチメディアタイトルを格納するとともに、登録されたマルチメディアタイトルの一覧を再生端末に提供し、再生端末から要求されたマルチメディアタイトルを再生端末に提供するタイトル管理部を備え、前記受付処理部が、基軸データを他の素材に優先して取得し、基軸データを取得した時点で基軸データとシナリオとからなるマルチメディアタイトルの登録を行うものであり、マルチメディアタイトルを構成する全ての素材を転送する前にそのタイトルをクライアントが利用することができ、タイトルの速報性を向上させる作用を有する。
【００３２】
本発明の請求項２記載の発明は、素材と、素材の一つである基軸データと、基軸データの進行に対応させて素材の提示方法を記述したシナリオからなるマルチメディアタイトルに対し、通信手段を介して転送されるシナリオを受付け、シナリオに記述された素材の名称と格納場所から前記シナリオを使用するマルチメディアタイトルを転送する処理手順を作成する受付手段と、前記受付手段により作成された処理手順を格納する処理手順キューと、前記受付手段により作成された処理手順に従いマルチメディアタイトルの転送処理を行うタイトル転送処理手段と、前記タイトル転送処理手段の指示に従い前記マルチメディアタイトルを構成する素材を取得する素材取得手段と、受付手段が受け付けた前記シナリオと前記素材取得手段が取得した素材を格納する一時格納手段と、前記シナリオを解析し、前記マルチメディアタイトルを構成する素材の名称と格納場所を取得し前記受付手段に出力するシナリオ解析手段と、前記タイトル転送処理手段からのマルチメディアタイトルの登録、および素材の登録を受け付け、登録されたマルチメディアタイトルを管理し、管理しているマルチメディアタイトルの一覧を再生端末に提供し、要求されたマルチメディアタイトルを再生端末に提供するタイトル管理手段と、前記タイトル管理手段が登録を受け付けた再生端末に提供するマルチメディアタイトルおよび素材を前記一時格納手段から蓄積するタイトル格納手段とを備え、前記受付手段が、基軸データの取得とマルチメディアタイトルの登録処理を他の素材取得処理に優先して行う処理手順を作成するものであり、マルチメディアタイトルを構成する全ての素材を転送する前にそのタイトルをクライアントが利用することができ、タイトルの速報性を向上させる作用を有する。
【００３３】
本発明の請求項３に記載の発明は、基軸データの取得処理と、タイトルの登録処理に高い優先度を設定し、優先度の高い処理から処理を行うように処理手順を修正・作成する機能を、受付手段が有したマルチメディアタイトル管理装置であり、複数のマルチメディアタイトルを転送する場合において、一つのマルチメディアタイトルの素材すべてを転送する前に、他のタイトルの再生に必要な素材を優先して転送して、すべてのマルチメディアタイトルをできる限り早い段階で再生可能にする作用を有する。
【００３４】
本発明の請求項４に記載の発明は、緊急度が記述されたシナリオを受付けた時、記述された緊急度に応じて、そのシナリオのタイトルの転送処理の優先度を高くする機能を受付手段が有したマルチメディアタイトル管理装置であり、マルチメディアタイトルの転送中でも、緊急性の高い新たなマルチメディアタイトルが転送されようとした時に、後者のタイトルを優先的に転送し、緊急性の高いマルチメディアタイトルをできるだけ早く再生可能にするという作用を有する。
【００３５】
本発明の請求項５に記載の発明は、受付手段がシナリオを受付けた時、タイトル管理手段がタイトル一覧に、そのシナリオのタイトルを未登録として記述し、そのタイトルが登録された時に、タイトル管理手段がタイトル一覧の記述を、登録済みであると修正する機能を有するマルチメディアタイトル管理装置であり、転送中、あるいは転送される前のマルチメディアタイトルについても、そのタイトル名などを、再生端末が参照できるようにし、転送されるタイトルのタイトル名などの項目について、特に速報性を向上させるという作用を有する。
【００３６】
本発明の請求項６に記載の発明は、基軸データが再生可能か否かを評価する、基軸データ評価手段をタイトル評価部に備えたマルチメディアタイトル管理装置であり、基軸データの内容を、再生端末に提供する前に確認することにより、再生端末の動作の安定性を向上させるという作用を有する。
【００３７】
（実施の形態１）
図１は、第１の発明の実施の一形態である、マルチメディアタイトル管理装置を含むシステムの機能ブロック図である。本装置は、図１においてマルチメディアタイトル管理装置１０に相当する。図１に示すように、本実施の形態においては、本装置は通信手段３を介してタイトル送信装置２に接続し、再生端末４とも接続されているものとする。
【００３８】
まず、本装置の概要を説明する。本装置は、タイトル送信装置２から送信されたシナリオを基に、必要な素材を取得してマルチメディアタイトルを構成し、構成されたマルチメディアタイトルを登録・管理し、再生端末４に提供する機能を有している。
【００３９】
ここで、本装置が扱うマルチメディアタイトルについて説明する。本装置が扱うマルチメディアタイトルは、ハイパービデオ型のマルチメディアタイトルとする。ハイパービデオ型マルチメディアタイトル（以降タイトル）とは、１つの動画データを基軸データとして、基軸データの進行に合わせて、他の素材の提示の開始、終了などを行うものである。言い換えれば、タイトルの進行が、基軸データの再生時刻（先頭から何秒何フレーム目か）を用いてシナリオに記述されているものである。タイトルの再生画面の一例を図２に、タイトルの進行の様子を図３に示す。
【００４０】
このタイトルが用いるシナリオの例として、図５に（Ａ）記述方式と（Ｂ）実際の例を示す。図５に示す通り、シナリオには、タイトルの名称、タイトルを構成する素材、素材の提示の動作（イベント）の記述が含まれている。
【００４１】
本装置は、基軸データとシナリオが揃った（仮再生可能になった）時点でタイトルとして登録し、その他の素材は、転送されるごとに登録しタイトルに順次追加する。
【００４２】
登録されたタイトルの状態が変化する一例を図６に示す。図６では、（Ａ）タイトル登録直後、（Ｂ）静止画１を追加登録したところ、（Ｃ）静止画２とテキスト１を追加登録したところ、（Ｄ）全ての素材を登録したところそれぞれの、タイトル再生の様子を示している。
【００４３】
本装置に登録されたタイトルは、時間が経過するにつれて、転送を完了した素材が増加するため、再生されるタイトルは（Ａ）から（Ｄ）へ変化し、順次提示される素材が増加する。
【００４４】
次に本装置の構成を図１を用いて説明する。本装置は、大きく受付処理部１００とタイトル管理部３００から構成される。そして、受付処理部１００は受付手段１０１と一時格納手段１０２とタイトル転送処理手段１０３と素材取得手段１０４と処理手順キュー１０５とシナリオ解析手段２０１とを備え、タイトル管理部３００はタイトル管理手段３０１とタイトル格納手段３０２を備えている。
【００４５】
次に、本装置の動作を説明する。本装置が行う動作は、大きく２つに分けられる。１つは、受付手段１０１が通信手段を介して接続されたタイトル作成送信手段からタイトルを転送し、タイトル管理部で管理をするタイトル受信処理である。
【００４６】
もう１つは、タイトル管理手段３０１が再生端末４からタイトル再生の要求を受付け、タイトルを取出して再生端末に提供するタイトル提供処理である。
【００４７】
図７は、本装置のタイトル受信処理の全体の流れを示すフローチャートである。図７に示す通り、本装置は次に示す流れでタイトル受信処理を行う。
【００４８】
0003596180.tif 000002
【００４９】
0003596180.tif 000003
【００５０】
ここで、受付手段１０１が処理手順キューに追加する処理手順とは、タイトル転送処理手段が行うべき処理を、処理すべき順番に記述したデータである。図８に処理手順の例として、（Ａ）記述方法と（Ｂ）実際の例を示す。図８に示すとおり、処理手順には、処理の優先度とその処理の内容が１行に記述されており、上の行から処理される順序で記述されている。図８（Ｂ）の例では優先度は数値が大きいほど高い優先度を表す。
【００５１】
ここで優先度とは、それぞれの処理の順序を決定する基準となる値である。本発明では、処理手順を新たに処理手順キューに追加する際、追加する場所を決定するのに優先度を用い、優先度が高い処理手順を、優先度が低い処理手順よりも前（処理が早く行われる方向）に追加する。優先度が同等の場合は、既に処理手順キューに格納されている処理手順の後（処理が遅く行われる方向）に追加する。
【００５２】
本実施の形態においては、優先度として、転送処理とタイトル登録処理が、その他の処理より先に処理される。
【００５３】
また本実施の形態においては、受付手段１０１が処理手順キュー１０５に処理手順を追加する際、新たに追加する処理手順の中で優先度の高い処理から追加する。例えば図８（Ｂ）に示す処理手順の例では、優先度が高い処理である基軸データの転送処理とタイトルの登録処理が先ず処理手順キュー１０５に追加され、次にその他の処理が追加される。
【００５４】
また、ステップ１０１に於いて、タイトル送信装置２が受け付け手段１０１にシナリオを送信する手段としては、電子メール、ＦＴＰ（Ｆｉｌｅ  Ｔｒａｎｓｆｅｒ  Ｐｒｏｔｏｃｏｌ）、あるいはＮＦＳ（Ｎｅｔｗｏｒｋ  Ｆｉｌｅ  Ｓｙｓｔｅｍ、米国サンマイクロシステムズの米国及びその他の地域における登録商標）などを利用することができる。
【００５５】
図９は、ステップ１０３に於いて、受付手段１０１が追加する処理手順の内容を示すフローチャートである。図９に示す通り、追加される処理手順は、次のよう処理を行う。
【００５６】
0003596180.tif 000004
【００５７】
0003596180.tif 000005
【００５８】
この中で、基軸データの取得（ステップ２０１）とタイトルの登録（ステップ２０２）は、他の処理（ステップ２０３、２０４）に比べ高い優先度を設定する。図８（Ｂ）における処理手順の例では、基軸データの取得とタイトルの登録処理に１０、それ以外の処理に０の数値を設定している。この例では、数値が大きい程高い優先度を表す。
【００５９】
図１０は、タイトル転送処理手段１０３が行うタイトル転送処理（ステップ１０４）の流れを示すフローチャートである。図１０に示すとおり、タイトル転送処理手段１０３は次のように処理を行う。
【００６０】
0003596180.tif 000006
【００６１】
0003596180.tif 000007
【００６２】
0003596180.tif 000008
【００６３】
0003596180.tif 000009
【００６４】
0003596180.tif 000010
【００６５】
ステップ３０５に於いて、素材取得手段１０４は、ＦＴＰ（Ｆｉｌｅ  Ｔｒａｎｓｆｅｒ  Ｐｒｏｔｏｃｏｌ）、あるいはＮＦＳ（Ｎｅｔｗｏｒｋ  ＦｉｌｅＳｙｓｔｅｍ、米国サンマイクロシステムズの商品名）などを利用して、素材を取得する。
【００６６】
次に、再生端末４へのタイトル提供処理の流れについて説明する。図１１は、タイトル提供処理の流れを示す、フローチャートである。図１１に示す通り、本装置は、次に説明する流れでタイトル提供処理を行う。
【００６７】
0003596180.tif 000011
【００６８】
ここで、タイトル一覧（ステップ４０１）とは、タイトル管理部３００が管理しているタイトルの一覧を記述したデータである。図１２にタイトル一覧の一例として、（Ａ）記述方法の例と（Ｂ）実際の例を示す。
【００６９】
図１２に示す通り、タイトル一覧には、タイトルを一意に示す番号であるタイトルＩＤと、タイトルの名称と、タイトルの作成日などのタイトル属性が記述される。再生端末４は、タイトル一覧を用いて再生するタイトルを選択し、そのタイトルＩＤを指定して再生を要求する。
【００７０】
以上説明したように、本実施の形態によれば、タイトルを通信手段を介して転送する際、優先度の高いデータであるシナリオと基軸データを最初に転送し、転送されたタイトルが仮再生可能な状態にする。そして、仮再生可能な状態ですべての素材の転送を完了する前に、再生可能な状態でタイトルを登録し、そのタイトルをクライアントが利用することができ、タイトルの速報性を向上させることができる。
【００７１】
（実施の形態２）
第２の発明の実施の一形態である、マルチメディアタイトル管理装置を含むシステムについて説明する。本システムの機能ブロック図は図１であり、本装置は図１においてマルチメディアタイトル管理装置１０に相当する。図１は第１の実施の形態のシステムの機能ブロック図をも示している。
【００７２】
まず、本装置の概要を説明する。本装置は、第１の実施の形態のマルチメディアタイトル管理装置の有する機能に加えて、複数のシナリオを受信した際に、受信したシナリオのタイトル全てが早く参照可能になるように、素材取得の順序を調整する機能を有する。
【００７３】
次に、本装置の構成を、図１を用いて説明する。図１に示すとおり、本装置の構成は、第１の実施の形態の装置と同じである。ただし、受付手段１０１は、第１の実施の形態における受付手段１０１と異なる処理を行う。
【００７４】
次に、本装置の動作を説明する。本装置の動作は、第１の実施の形態と同様に、タイトル提供処理と、タイトル受信処理の２つの処理に分かれる。ここで、タイトル提供処理は、第１の実施の形態と同じであり、タイトル提供処理の流れを示すフローチャートは図９で、第１の実施の形態におけるものと同一である。
【００７５】
図７は、本装置のタイトル受信処理の全体の流れを示すフローチャートである。本装置のタイトル受信処理の全体の流れは、第１の実施の形態と同じである。図７は第１の実施の形態のタイトル受信処理の流れも示している。
【００７６】
ただし、本装置においては、ステップ１０３における、処理手順の処理手順キューへの追加処理が異なる。第１の実施の形態においては、新しく作成した処理手順を、全て処理手順キュー１０５の最後に追加するが、本実施の形態においては、新しく作成した処理手順を、その処理内容により、処理手順キュー１０５の異なる場所に追加する。
【００７７】
すなわち、優先度の高い基軸データの取得とタイトル登録処理は、すでに処理手順キューにある、他の素材の取得処理などの前に追加される。図１３に処理手順追加の流れを示す。図１３に示すとおり、本装置では、処理手順の処理手順キュー１０５への追加を、次の流れで行う。
【００７８】
0003596180.tif 000012
【００７９】
0003596180.tif 000013
【００８０】
受付手段１０１は、追加する処理手順１つずつについて、ステップ５０１からステップ５０５の処理を行い、処理手順を追加する。
【００８１】
図１４に、本装置による処理手順の追加の例を示す。図１４は（Ａ）追加前の処理手順キュー１０５に格納された処理手順と、（Ｂ）追加する処理手順と、（Ｃ）追加後の処理手順を示している。図１４では、（Ａ）の処理手順には、タイトルを１つ取得し登録する処理が記述されている。（Ａ）の処理手順で取得・登録するタイトルをタイトルＡとする。また、（Ｂ）の処理手順には、新たにタイトルを取得し登録する処理が記述されている。（Ｂ）の処理手順で取得・登録するタイトルをタイトルＢとする。図１４の（Ａ）および（Ｂ）の処理手順の内容は、次の部分に分かれる。
【００８２】
Ａ１：タイトルＡの基軸データを取得する。
Ａ２：タイトルＡを登録する。
【００８３】
0003596180.tif 000014
【００８４】
Ｂ１：タイトルＢの基軸データを取得する。
Ｂ２：タイトルＢを登録する。
【００８５】
0003596180.tif 000015
【００８６】
この中で、Ａ１、Ａ２、Ｂ１、Ｂ２の処理が、他の処理（Ａ３，Ｂ３）よりも優先度が高い。そのため、本装置の処理手順の追加の流れにより（Ａ）に（Ｂ）を追加すると、（Ｃ）に示す処理手順となる。
【００８７】
すなわち、タイトルＡの基軸データを取得してタイトルＡを登録した後、その他の素材を取得する前に、タイトルＢの登録を行う処理手順となる。
【００８８】
以上説明したように、本実施の形態の装置によれば、１つのタイトルの転送中に他のタイトルの転送が必要になった場合において、後者のタイトルの登録を、前者のタイトルの素材の取得に優先して行う事が可能となる。これにより、再生端末は後者のタイトルについても早い段階で再生することが可能となり、転送するタイトルの数が多い場合に、タイトルの速報性を向上させることができる。
【００８９】
（実施の形態３）
第３の発明の実施の一形態である、マルチメディアタイトル管理装置を含むシステムについて説明する。本システムの機能ブロック図は図１であり、本装置は図１においてマルチメディアタイトル管理装置１０に相当する。図１は第１および第２の実施の形態のシステムの機能ブロック図をも示している。
【００９０】
まず、本装置の概要を説明する。本装置は、第２の実施の形態のマルチメディアタイトル管理装置の有する機能に加えて、特に緊急のタイトルについては、そのタイトルを優先的に転送する機能を有するものである。
【００９１】
本実施の形態では、タイトルが緊急か否か、あるいは緊急の程度は、ユーザが、緊急度として任意に設定する。
【００９２】
そして本実施の形態では、緊急度は、シナリオに記述する。図１５に緊急度を記述したシナリオの例を示す。図１５において、Ｒの部分が緊急度を示す記述であり、このシナリオのタイトルの緊急度は、記述された通り１０となる。
【００９３】
次に、本装置の構成を、図１を用いて説明する。図１に示す通り、本装置の構成は、第１および第２の実施の形態の装置と同じである。受付手段１０１は、第２の実施の形態における受付手段１０１と同じ処理を行う。ただし、シナリオ解析手段２０１は、第１および第２の実施の形態のタイトル解析手段と異なる処理を行う。
【００９４】
次に、本装置の動作を説明する。本装置の動作は、第１および第２の実施の形態と同様に、タイトル提供処理と、タイトル受信処理の２つの処理に分かれる。ここで、タイトル提供処理は、第１および第２の実施の形態と同じであり、タイトル提供処理の流れを示すフローチャートは図１１で、第１および第２の実施の形態におけるものと同一である。
【００９５】
図７は、本装置のタイトル受信処理の全体の流れを示すフローチャートである。本装置のタイトル受信処理の全体の流れは、第２の実施の形態と同じである。図７は第２の実施の形態のタイトル受信処理の流れも示している。ただし、本装置においては、ステップ１０２におけるシナリオ解析処理が、第２の実施の形態と異なる。
【００９６】
第２の実施の形態においては、シナリオ解析処理により、基軸データとそれ以外の素材の格納場所を取得するが、本実施の形態では、それに加えて、そのシナリオを用いるタイトルの転送が緊急を要するか否かを判断する機能を有する。
【００９７】
図１６に、本実施の形態におけるシナリオ解析処理の流れを示す。図１６に示すとおり、本装置は次に示す流れで、シナリオ解析処理を行う。
【００９８】
0003596180.tif 000016
【００９９】
0003596180.tif 000017
【０１００】
また、第１および第２の実施の形態では、受付手段１０１は、基軸データ取得とタイトル登録処理には一律に、他の処理よりも高い優先度を設定していたが、その優先度は全てのタイトル間で同じ値であった。
【０１０１】
本実施の形態では、緊急のタイトルについては、タイトルの緊急度に応じて基軸データ取得とタイトル登録処理の優先度を高くする。本実施の形態では、優先度が０以外の処理、すなわち基軸データとシナリオの転送とタイトルの登録処理について、優先度を、緊急度を加えた値にする。
【０１０２】
図１７に、本装置による処理手順の追加の例を示す。図１７は（Ａ）追加前の処理手順キュー１０５に格納された処理手順と、（Ｂ）追加する処理手順と、（Ｃ）追加後の処理手順を示している。図１７において、（Ａ）の処理手順には、タイトルを１つ取得し登録する処理が記述されている。（Ａ）の処理手順で取得・登録するタイトルをタイトルＣとする。
【０１０３】
また、（Ｂ）の処理手順には、新たにタイトルを取得し登録する処理が記述されている。（Ｂ）の処理手順で取得・登録するタイトルをタイトルＤとする。図１７に示す例では、タイトルＣは緊急でない、一般のタイトルであり、タイトルＤが緊急度が１０の緊急のタイトルであるとする。
【０１０４】
図１７の（Ａ）および（Ｂ）の処理手順の内容は、次の部分に分かれる。
Ｃ１：タイトルＣの基軸データを取得する。
【０１０５】
0003596180.tif 000018
【０１０６】
Ｄ１：タイトルＤの基軸データを取得する。
Ｄ２：タイトルＤを登録する。
【０１０７】
0003596180.tif 000019
【０１０８】
緊急度１０が、緊急度がない場合のＤ１、Ｄ２の優先度に加算され、Ｄ１、Ｄ２の優先度が２０となる。
【０１０９】
処理の優先度の高い順にそれぞれの処理をならべると、Ｄ１，Ｄ２＞Ｃ１，Ｃ２＞Ｃ３，Ｄ３となる。本実施の形態において、（Ａ）の処理手順に（Ｂ）の処理手順を追加すると、（Ｃ）に示す処理手順となる。すなわち、後から追加したタイトルＤの転送処理が、タイトルＣの転送処理よりも優先される。
【０１１０】
以上説明した通り、本実施の形態の装置によれば、１つのタイトルの転送中に、緊急のタイトルを転送する必要がある場合、シナリオに緊急度を記述することで、優先してタイトルを転送することができる。
【０１１１】
（実施の形態４）
第４の発明の実施の一形態である、マルチメディアタイトル管理装置を含むシステムについて説明する。本システムの機能ブロック図は図１であり、本装置は図１においてマルチメディアタイトル管理装置１０に相当する。
【０１１２】
図１は第１から第３の実施の形態のシステムの機能ブロック図をも示している。まず、本装置の概要を説明する。
【０１１３】
本装置は、第１の実施の形態のマルチメディアタイトル管理装置の有する機能に加えて、タイトルのシナリオを取得し、基軸データが転送されていない状態で、タイトル一覧にそのタイトルの情報を反映させる機能を有する。
【０１１４】
次に、本装置の構成を、図１を用いて説明する。図１に示すとおり、本装置の構成は、第１の実施の形態の装置と同じである。ただし、受付手段１０１とタイトル管理手段３０１が、第１から第３の実施の形態における受付手段１０１とタイトル管理手段３０１と異なる処理を行う。
【０１１５】
次に、本装置の動作を説明する。本装置の動作は、第１の実施の形態と同様に、タイトル提供処理と、タイトル受信処理の２つの処理に分かれる。ここで、タイトル提供処理は、第１の実施の形態と同じであり、タイトル提供処理の流れを示すフローチャートは図１１で、第１の実施の形態におけるものと同一である。
【０１１６】
図７は、本装置のタイトル受信処理の全体の流れを示すフローチャートである。本装置のタイトル受信処理の全体の流れは、第１の実施の形態と同じである。図７は第１の実施の形態のタイトル受信処理の流れも示している。ただし、本装置においては、ステップ１０１における受付手段１０１の処理が、第１の実施の形態と異なる。それに対応して、タイトル管理手段３０１の動作も異なる。
【０１１７】
図１８に、ステップ１０１における受付手段１０１の処理の流れを示す。図１６に示すように、受付手段１０１は、次に示す流れでシナリオの受付けを行う。
【０１１８】
0003596180.tif 000020
【０１１９】
また、ステップ７０２において、タイトルの受付を通知されたタイトル管理手段３０１は、再生端末に提供するタイトル一覧に、通知されたタイトルを追加する。
【０１２０】
本実施の形態におけるタイトル一覧の例を図１９に示す。図１９では、（Ａ）シナリオ一覧の記述方法と（Ｂ）シナリオ一覧の実際例を示している。タイトル管理手段３０１は、ステップ７０２で受付を通知されたタイトルをタイトル一覧に追加するとき、タイトル一覧の状況を「未登録」として追加する。そして、そのタイトルが登録されたとき、状況を「登録」に修正する。
【０１２１】
タイトル管理手段３０１が再生端末４から再生の要求を受付けたとき、要求されたタイトルが未登録の場合、タイトル管理手段３０１はそのタイトル提供を拒否する。
【０１２２】
以上説明したように、本実施の形態の装置によれば、タイトルを転送する際、最初にシナリオを受付けた段階で、タイトルを受付けたことをタイトル一覧に反映することがでる。このことにより、再生端末４は、どのようなタイトルが転送されようとしているかを把握することができる。
【０１２３】
（実施の形態５）
図２０は、第５の発明の実施の一形態である、マルチメディアタイトル管理装置を含むシステムの機能ブロック図である。図２０において、本装置はマルチメディアタイトル管理装置５０に相当する。
【０１２４】
本装置の概要を説明する。本装置は、第１の実施の形態の装置が有する機能に加え、取得した基軸データが再生可能か否かを評価する機能を有する。
【０１２５】
次に、本装置の構成を説明する。図２０に示すように本装置は、第１の実施の形態におけるマルチメディアタイトル管理装置に加えて、タイトル評価部２００に基軸データ解析手段２０２を備えている。
【０１２６】
次に、本装置の動作を説明する。本装置の動作は、第１の実施の形態と同様に、タイトル提供処理と、タイトル受信処理の２つの処理に分かれる。ここで、タイトル提供処理は、第１の実施の形態と同じであり、タイトル提供処理の流れを示すフローチャートは図１１で、第１の実施の形態におけるものと同一である。
【０１２７】
図７は、本装置のタイトル受信処理の全体の流れを示すフローチャートである。本装置のタイトル受信処理の全体の流れは、第１の実施の形態と同じである。図７は第１の実施の形態のタイトル受信処理の流れも示している。
【０１２８】
ただし、本装置においては、ステップ１０４においてタイトル転送手段が行うタイトル転送処理が異なる。
【０１２９】
図２１は、タイトル転送処理手段１０３が行うタイトル転送処理（ステップ１０４）の流れを示すフローチャートである。図２１に示すとおり、タイトル転送処理手段１０３は次のように処理を行う。
【０１３０】
0003596180.tif 000021
【０１３１】
0003596180.tif 000022
【０１３２】
0003596180.tif 000023
【０１３３】
0003596180.tif 000024
【０１３４】
0003596180.tif 000025
【０１３５】
図２２は、基軸データ評価処理の流れを示すフローチャートである。図２２に示すとおり、基軸データ評価手段２０２は次のように処理を行う。
【０１３６】
0003596180.tif 000026
【０１３７】
ステップ１００５：基軸データを最後まで正常にデコードできたら、
ステップ１００６：基軸データは再生可能であると評価する。
【０１３８】
0003596180.tif 000027
【０１３９】
ステップ１００８：基軸データ評価結果を出力して、処理を終了する。
ここで、データの圧縮形式（ステップ１００２、１００３）とは、例えば動画データの圧縮形式であるＭＰＥＧなどを指す。ＭＰＥＧとはＭｏｖｉｎｇ  Ｐｉｃｔｕｒｅ  Ｅｘｐｅｒｔｓ  Ｇｒｏｕｐの略であり、ＭＰＥＧ圧縮形式についていは国際標準化機構と国際電気標準会議によって出されたＩｎｔｅｒｎａｔｉｏｎａｌ  Ｓｔａｎｄａｒｄである、ＩＳＯ／ＩＥＣ１１１７２−１／２／３（１９９３）などに説明があるので、ここでは説明を省略する。
【０１４０】
また、本装置では、基軸データ評価手段２０３が、ステップ１００４で用いるデコーダを備えている。
【０１４１】
以上説明したように、本実施の形態によれば、マルチメディアタイトルの再生に必要である基軸データについて、データの内容が正しいかどうかを再生端末に提供する前に確認することができる。そのため、再生可能な基軸データで構成されるマルチメディアタイトルのみを再生端末に提供させることができ、再生端末の動作を安定させることができる。
【０１４２】
なお、本装置の基軸データ評価手段２０２を、第２から第４の実施の形態におけるマルチメディアタイトル管理装置のタイトル評価部２００に加え、タイトル登録前に基軸データの確認をする機能を付加することも容易に実施することができる。
【０１４３】
【発明の効果】
以上説明したように、本発明によれば、第１に、マルチメディアタイトルを再生するために不可欠な素材やシナリオを優先して転送し、すべての素材の転送が完了する前にマルチメディアタイトルの再生を可能にし、転送するマルチメディアタイトルの速報性を向上させることで、ニュースなどの速報性を重視する情報として、表現力の高いマルチメディアタイトルを使用することができ、ユーザがよりわかりやすい情報を、多くの分野で利用することができるという、有用な効果を得ることができる。
【０１４４】
第２に、複数のマルチメディアタイトルを転送する場合において、一つのマルチメディアタイトルの素材すべてを転送する前に、他のタイトルの再生に必要な素材を優先して転送して、すべてのマルチメディアタイトルをできる限り早い段階で再生可能にし、速報性をさらに向上させることで、世界各地からのニュースのような、範囲が広く、情報量の多いニュースを、表現力の高いマルチメディアタイトルで把握することができるという有用な効果を得られる。
【０１４５】
第３に、緊急性の高いマルチメディアタイトルをできるだけ早く再生可能にすることで、津波警報などの、特に緊急な情報を、ユーザに早く伝えるという、有用な効果が得られる。
【０１４６】
第４に、転送中、あるいは転送される前のマルチメディアタイトルについても、そのタイトル名などを、再生端末が参照できるようにすることで、ユーザが、最新のニュースの一覧をより早く確認できるという、有用な効果が得られる。
【０１４７】
第５に、基軸データの内容を、再生端末に提供する前に確認することにより、再生端末の動作の安定性を向上させることで、再生端末の操作に習熟しないユーザが、より安心して操作できるという、有用な効果が得られる。
【図面の簡単な説明】
【図１】本発明におけるマルチメディアタイトル管理装置の機能ブロック図
【図２】本発明におけるマルチメディアタイトルの再生画面図
【図３】本発明における基軸データと、その他の素材の連携図
【図４】本発明におけるマルチメディアタイトルのファイル構造図
【図５】シナリオの例図
【図６】タイトルの進行の例図
【図７】マルチメディアタイトル受信処理のフローチャート
【図８】処理手順キューの例図
【図９】タイトル転送のための処理手順のフローチャート
【図１０】タイトル転送処理のフローチャート
【図１１】タイトル提供処理のフローチャート
【図１２】タイトル一覧の例図
【図１３】処理手順を追加する処理のフローチャート
【図１４】処理手順の処理手順キューへの追加の例図
【図１５】緊急度の記述のあるシナリオの例図
【図１６】処理手順キューへの処理手順追加の処理のフローチャート
【図１７】処理手順キューへの処理手順追加の例図
【図１８】シナリオ受付手段のフローチャート
【図１９】登録状況表示がついたタイトル一覧の例図
【図２０】マルチメディアタイトル管理装置の機能ブロック図
【図２１】タイトル転送処理のフローチャート
【図２２】基軸データ評価処理のフローチャート
【符号の説明】
２  タイトル送信装置
３  通信手段
４  再生端末
１０  マルチメディアタイトル管理装置
５０  マルチメディアタイトル管理装置
１００  受付処理部
１０１  受付手段
１０２  一時格納手段
１０３  タイトル転送手段
１０４  素材取得手段
１０５  処理手順キュー
２０１  シナリオ解析手段
２０２  基軸データ評価手段
３００  タイトル格納部
３０１  タイトル管理手段
３０２  タイトル格納手段
１００１  マルチメディアタイトル再生画面
１００２  動画データ表示部
１００３  静止画データ表示部
１００４  文字データ表示部
１００５  操作ボタン
【図１】
0003596180.tif 000028
【図２】
0003596180.tif 000029
【図３】
0003596180.tif 000030
【図４】
0003596180.tif 000031
【図５】
0003596180.tif 000032
【図６】
0003596180.tif 000033
【図７】
0003596180.tif 000034
【図８】
0003596180.tif 000035
【図９】
0003596180.tif 000036
【図１０】
0003596180.tif 000037
【図１１】
0003596180.tif 000038
【図１２】
0003596180.tif 000039
【図１３】
0003596180.tif 000040
【図１４】
0003596180.tif 000041
【図１５】
0003596180.tif 000042
【図１６】
0003596180.tif 000043
【図１７】
0003596180.tif 000044
【図１８】
0003596180.tif 000045
【図１９】
0003596180.tif 000046
【図２０】
0003596180.tif 000047
【図２１】
0003596180.tif 000048
【図２２】
0003596180.tif 000049